(57)【要約】【課題】鼻によって呼吸を行うことができるスノーケリング用マスクを提供する。【解決手段】相隣のレンズ（１００）を有するマスク本体（１０）を有し、レンズ（１００）の間に鼻部が設けられ、周縁にスカート（１０２）が設けられ、両側にバンド（１０３）が設けられるスノーケリング用マスクであって、一つの換気部（２０）を備え、マスク本体（１０）の両側と鼻部の位置に夫々換気部（２０）と連接する空気入りパイプ（１１）と排気パイプ（１２）が設けられることを特徴とする。【選択図】        図１
2004175319.tif 000002
【特許請求の範囲】
【請求項１】
相隣のレンズ（１００）を有するマスク本体（１０）を有し、レンズ（１００）の間に鼻部が設けられ、周縁にスカート（１０２）が設けられ、両側にバンド（１０３）が設けられるスノーケリング用マスクであって、
一つの換気部（２０）を備え、マスク本体（１０）の両側と鼻部の位置に夫々換気部（２０）と連接する空気入りパイプ（１１）と排気パイプ（１２）が設けられることを特徴とするスノーケリング用マスク。
【請求項２】
バンド（１０３）と換気部（２０）との間に連接部材（１０４）が設けられ、
マスク本体（１０）の両側における空気入りパイプ（１１）の連接箇所に貫通孔（１１５）が形成されると共に、貫通孔（１１５）に片方向空気入り弁（１１０）が設けられ、マスク本体（１０）の鼻部における排気パイプ（１２）の連接箇所に貫通孔（１３４）が形成されると共に、貫通孔（１３４）に片方向排気弁（１２０）が設けられ、
換気部（２０）は中空のボックスを有すると共に、下部に換気孔（２２）と浮き玉ルーム（２１）が設けられ、この浮き玉ルーム（２１）の壁に複数の孔（２１２）が形成されると共に、内部に換気孔（２２）と密着できる断水弁（２１１）を有する浮き玉（２１０）が設置されることを特徴とする請求項１に記載のスノーケリング用マスク。
【請求項３】
換気部（２０）の内部に隔離プレート（２００）を設けることにより二つの区域を分け、
マスク本体（１０）における片方向排気弁（１２０）の外側に排水鼻部（１３）が設けられると共に、この排水鼻部（１３）の外側に貫通孔（１３５）が形成され、該貫通孔（１３５）の中央に固定ロッド（１３６）が設けられ、固定ロッド（１３６）に貫通孔（１３５）と開閉自由な片方向排水弁（１３０）が設けられることを特徴とする請求項２に記載のスノーケリング用マスク。
【発明の詳細な説明】
【０００１】
【発明の属する技術分野】
本発明は、特に鼻によって呼吸を行うことができるスノーケリング用マスクに関するものである。
【０００２】
【従来の技術】
スノーケリングする際、マスクを付くと共に、口にスノーケルを噛むことにより、水中に換気することを行っている。
【０００３】
【本発明が解決しようとする課題】
しかしながら、正常な場合に、人間は鼻で呼吸するので、口で換気すれば、適応性不良という問題があり、更に、スノーケルを噛みながら、長時間にスノーケリングすれば、同じ呼吸パイプによって換気するため、呼吸効率に悪影響を与えると共に、口の痛み、喉の乾燥、渇きという不適感を発生してしまう。
【０００４】
そこで、出願されたのが本発明であって、鼻によって呼吸を行うことができるスノーケリング用マスクを提供することを目的としている。
【０００５】
【課題を解決するための手段】
本願の請求項１の発明は、相隣のレンズ（１００）を有するマスク本体（１０）を有し、レンズ（１００）の間に鼻部が設けられ、周縁にスカート（１０２）が設けられ、両側にバンド（１０３）が設けられるスノーケリング用マスクであって、一つの換気部（２０）を備え、マスク本体（１０）の両側と鼻部の位置に夫々換気部（２０）と連接する空気入りパイプ（１１）と排気パイプ（１２）が設けられることを特徴とするスノーケリング用マスク及び、
本願の請求項２の発明は、バンド（１０３）と換気部（２０）との間に連接部材（１０４）が設けられ、マスク本体（１０）の両側における空気入りパイプ（１１）の連接箇所に貫通孔（１１５）が形成されると共に、貫通孔（１１５）に片方向空気入り弁（１１０）が設けられ、マスク本体（１０）の鼻部における排気パイプ（１２）の連接箇所に貫通孔（１３４）が形成されると共に、貫通孔（１３４）に片方向排気弁（１２０）が設けられ、換気部（２０）は中空のボックスを有すると共に、下部に換気孔（２２）と浮き玉ルーム（２１）が設けられ、この浮き玉ルーム（２１）の壁に複数の孔（２１２）が形成されると共に、内部に換気孔（２２）と密着できる断水弁（２１１）を有する浮き玉（２１０）が設置されることを特徴とする請求項１に記載のスノーケリング用マスク及び、
本願の請求項３の発明は、換気部（２０）の内部に隔離プレート（２００）を設けることにより二つの区域を分け、マスク本体（１０）における片方向排気弁（１２０）の外側に排水鼻部（１３）が設けられると共に、この排水鼻部（１３）の外側に貫通孔（１３５）が形成され、該貫通孔（１３５）の中央に固定ロッド（１３６）が設けられ、固定ロッド（１３６）に貫通孔（１３５）と開閉自由な片方向排水弁（１３０）が設けられることを特徴とする請求項２に記載のスノーケリング用マスクを提供する。
【０００６】
【作用】
本発明は上記の課題を解決するものであり、換気部と空気入りパイプと排気パイプとを設けることにより、使用者は鼻で呼吸することができ、且つ空気は循環のように更新することができる。
【０００７】
【発明の実施の形態】
以下、添付図面を参照して本発明の好適な実施の形態を詳細に説明する。
【０００８】
図１は本発明に係わるスノーケリング用マスクの斜視図であり、図２は本発明に係わるスノーケリング用マスクにおける空気入りパイプとマスク本体との連接箇所を示す参考図であり、図３は本発明に係わるスノーケリング用マスクにおける空気の流れ方向を示す参考図であり、図４は本発明に係わるスノーケリング用マスクにおける換気部が水面上におる状態を示す参考図であり、図５は本発明に係わるスノーケリング用マスク水中におる状態を示す参考図であり、図６は本発明に係わるスノーケリング用マスクの排気状態を示す参考図であり、図７は本発明に係わるスノーケリング用マスクの排水状態を示す参考図である。
【０００９】
図１乃至図３に示すように、本発明のスノーケリング用マスクはマスク本体（１０）と換気部（２０）とを備え、マスク本体（１０）の両側と鼻部の位置に夫々換気部（２０）と連接する空気入りパイプ（１１）と排気パイプ（１２）が設けられ、マスク本体（１０）の両側における空気入りパイプ（１１）の連接箇所に貫通孔（１１５）が形成されると共に、貫通孔（１１５）に片方向空気入り弁（１１０）が設けられる。又、マスク本体（１０）の鼻部における排気パイプ（１２）の連接箇所に貫通孔（１３４）が形成されると共に、貫通孔（１３４）に片方向排気弁（１２０）が設けられる。前記の換気部（２０）は中空のボックスを有すると共に、下部に換気孔（２２）と浮き玉ルーム（２１）が設けられ、この浮き玉ルーム（２１）の壁に複数の孔（２１２）が形成されると共に、内部に換気孔（２２）と密着できる断水弁（２１１）を有する浮き玉（２１０）が設置される。
【００１０】
更に、図１、図４及び図５に示すように、換気時に新鮮な空気をマスク本体（１０）の内部に入り効率を向上するため、換気部（２０）の内部に隔離プレート（２００）を設けることにより二つの区域を分けると共に、排出の排気を空気入りパイプ（１１）によってマスク本体（１０）の内部に再び入ることがない。
【００１１】
又、マスク本体（１０）は二つの相隣のレンズ（１００）を有し、レンズ（１００）の間に鼻部（１０１）が設けられると共に、周縁にスカート（１０２）が設けられ、両側にバンド（１０３）が設けられ、バンド（１０３）と換気部（２０）における浮き玉ルーム（２１）との間に連接部材（１０４）が設けられる。
【００１２】
図３に示すように、スカート（１０２）の両側に貫通孔（１１５）を有する取付パイプ（１１８）が設けられ、この取付パイプ（１１８）の外側に空気入りパイプ（１１）が設けられると共に、内側にリブ（１１９）が設けられ、このリブ（１１９）の中央に固定ロッド（１１９０）が設けられ、該固定ロッド（１１９０）に片方向空気入り弁（１１０）が設けられる。これにより、片方向空気入り弁（１１０）は貫通孔（１１５）に開閉自由となる。又、鼻部（１０１）における貫通孔（１３４）と片方向排気弁（１２０）の設置方式は片方向空気入り弁（１１０）の設置方式と等しいであるため、ここで詳しい説明しない。
【００１３】
又、図１乃至図４に示すように、スノーケリングする際、マスク本体（１０）におけるスカート（１０２）を顔に設け、換気部（２０）がバンド（１０３）における連接部材（１０４）によって頭の後部に設けられるので、吸気する際、新鮮な空気が換気部（２０）から空気入りパイプ（１１）における片方向空気入り弁（１１０）を介してマスク本体（１０）の内部に流動されることにより、使用者は鼻によって新鮮な空気を呼吸することができる。排気する際、排気が片方向廃棄弁（１２０）から排気パイプ（１２）を介して換気部（２０）に流動されると共に、換気部（２０）における換気孔（２２）によって外側へ排出される。空気入りパイプ（１１）とマスク本体（１０）との連接箇所に片方向空気入りパイプ（１１０）を設けるので、排気が空気入りパイプ（１１）に回流されることができないと共に、片方向廃棄弁（１２０）によって排気パイプ（１２）しかに排出されない。同じように、吸気する際、排気パイプ（１２）における空気が片方向排気弁（１２０）の阻みので、マスク本体（１０）の内部に回流することができなく、従って、空気は循環のように更新することができる。
【００１４】
図５に示すように、頭が水中に潜る際、浮き玉ルーム（２１）における浮き玉（２１０）が浮力によって換気孔（２２）へ向かって移動されると共に、断水弁（２１１）が換気孔（２２）を封閉し、これにより、海水が空気入りパイプ（１１）からマスク本体（１０）の内部に浸入することを防止できる。頭が水上に浮出する際、鼻から軽い吐息することにより、断水弁（２１１）が換気孔（２２）から離れて呼吸を行うことができる。
【００１５】
又、図６及び図７に示すように、本発明はマスク本体（１０）における片方向排気弁（１２０）の外側に排水鼻部（１３）が設けられると共に、この排水鼻部（１３）の外側に貫通孔（１３５）が形成され、該貫通孔（１３５）の中央に固定ロッド（１３６）が設けられ、固定ロッド（１３６）に貫通孔（１３５）と開閉自由な片方向排水弁（１３０）が設けられることにより、少量の海水がマスク本体（１０）の内部に浸入する際、浸入した海水が排気と共に排水鼻部（１３）に流れ込まれ、この時に、排気パイプ（１２）を押圧すると共に、鼻から強い吐息すれば、海水が排気と共に片方向排水弁（１３０）から水中へ排出できる。又、海水がマスク本体（１０）の内部に浸入する場合は少ないであるので、片方向排水弁（１３０）からの排水と排気によってバブルを産生して視線に邪魔することが少ないである。
【００１６】
【発明の効果】
本発明は以上説明したようになるから、以下のような効果を達成できる。
【００１７】
鼻によって呼吸できるので、適応性不良の問題なし、従来のようにレンズの内部に霧を産生して視線に邪魔することも減少でき、且つ口の痛み、喉の乾燥、渇きという不適感を発生することもなく、非常に便利である。
【図面の簡単な説明】
【図１】本発明に係わるスノーケリング用マスクの斜視図である。
【図２】本発明に係わるスノーケリング用マスクにおける空気入りパイプとマスク本体との連接箇所を示す参考図である。
【図３】本発明に係わるスノーケリング用マスクにおける空気の流れ方向を示す参考図である。
【図４】本発明に係わるスノーケリング用マスクにおける換気部が水面上におる状態を示す参考図である。
【図５】本発明に係わるスノーケリング用マスク水中におる状態を示す参考図である。
【図６】本発明に係わるスノーケリング用マスクの排気状態を示す参考図である。
【図７】本発明に係わるスノーケリング用マスクの排水状態を示す参考図である。
【符号の説明】
１０        マスク本体
１００      レンズ
１０１      鼻部
１０２      スカート
１０３      バンド
１０４      連接部材
１１        空気入りパイプ
１１０      片方向空気入り弁
１１５      貫通孔
１１８      取付パイプ
１１９      リブ
１１９０    固定ロッド
１２        排気パイプ
１２０      片方向排気弁
１３        排水鼻部
１３０      片方向排水弁
１３４      貫通孔
１３５      貫通孔
１３６      固定ロッド
２０        換気部
２００      隔離プレート
２１        浮き玉ルーム
２１０      浮き玉
２１１      断水弁
２１２      孔
２２        換気孔
【図１】
2004175319.tif 000003
【図２】
2004175319.tif 000004
【図３】
2004175319.tif 000005
【図４】
2004175319.tif 000006
【図５】
2004175319.tif 000007
【図６】
2004175319.tif 000008
【図７】
2004175319.tif 000009